(57)【要約】【課題】  両肩にベルトを掛ける背負い式のバッグでも、両肩のベルトを外さないで前後に切り替えできる前後切り替えバッグを提供する。特に既存の取付部の着いたバッグにも使用できる利点がある。【解決手段】  両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至ることを特徴とする前後切り替えバッグ。【選択図】図２
2020130823.tif 000002
【特許請求の範囲】
【請求項１】
両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至ることを特徴とする前後切り替えバッグ。
【請求項２】
両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この切り替えベルトは第一の取付部と第二の取付部の少なくとも一方で切り替えベルトが長手方向に摺動可能であり、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至り、この切り替えバッグは、両側の肩から切り替えベルトを外すことなく前後に切り替えできることを特徴とする前後切り替えバッグ。
【請求項３】
両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この切り替えベルトは第一の取付部と第二の取付部の少なくとも一方で切り替えベルトが長手方向に摺動可能であり、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至り、この前後切り替えバッグを前掛けした場合、この第一のベルト及び第二のベルトは前側にある第一の結合部又は第二の結合部から始まり、前側から両肩を分かれて越え、後から脇の下を通り、前側にある他の結合部に至ることを特徴とする前後切り替えバッグ。
【請求項４】
両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この切り替えベルトは第一の取付部と第二の取付部の少なくとも一方で切り替えベルトが長手方向に摺動可能であり、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至り、この前後切り替えバッグを前掛けした場合、この第一のベルト及び第二のベルトは前側にある第一の結合部又は第二の結合部から始まり、前側から両肩を分かれて越え、後から脇の下を通り、前側にある他の結合部に至り、このバッグを前後に回転移動させるだけで、両側の肩から切り替えベルトを外すことなく前後に切り替える方法。
【請求項５】
請求項１乃至請求項４の何れかの前後切り替えバッグにおいて、この第一の取付部又は第二の取付部近傍から第一のベルト又は第二のベルトの前方部分又は他の取付部近傍に掛け渡す安定ベルトを有する前後切り替えバッグ。
【請求項６】
請求項１乃至請求項５の何れかの切り替えバッグに用いる切り替えベルト。
【発明の詳細な説明】
【技術分野】
【０００１】
この発明は、両肩に掛けるベルトを有する前後切り替えバッグに関する。
【背景技術】
【０００２】
従来、両肩にベルトを掛けて背負うリュックサックの様なバッグがあり、両手が自由に使え、重い荷物を長時間運ぶのに便利であった。昔はリュックサックの様なバッグは遠足などリクリエーションに使っていたが、近年は日常生活での使用が拡がってきた。ところが都市生活での使用が拡がると、電車内等の混雑した中では背中の荷物が出っ張って迷惑になる問題が増加してきた。
【０００３】
そこで、近年は電車内では背中のバッグを降ろして前に抱えて乗るようになってきた。このため、電車に乗り降りする度にバッグを背負ったり降ろしたりするのが大変煩わしかった。
【先行技術文献】
【特許文献】
【０００４】
【特許文献１】特開２０１２-０４５３７７
【発明の概要】
【発明が解決しようとする課題】
【０００５】
例えば、特許文献１のように、リュックサック１０に設けた背負いベルト１２を両肩に掛け、リュックサック１０を背負う従来技術があった。リュックサック１０を背中から前に移動させるには、背負いベルト１２を両肩から外してリュックサック１０を前へ移動し両肩の背負いベルト１２を掛け直す必要があった。さらに、電車から降りるときは、逆の動作が必要であり大変煩わしいという問題があった。
【課題を解決するための手段】
【０００６】
両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至ることを特徴とする前後切り替えバッグ。
【発明の効果】
【０００７】
上記の問題点を解決し、両肩にベルトを掛ける背負い式のバッグでも、両肩のベルトを外さないで前後に切り替えできる前後切り替えバッグを提供することができる。特に既存の取付部の着いたバッグにも使用できる利点がある。
【図面の簡単な説明】
【０００８】
【図１】第一の実施例の前後切り替バッグの使用時の状態を背後から見た図である。着用者は想像線で描いてある。
【図２】第一の実施例の前後切り替バッグの使用時の状態を背後から見た図である。着用者は実線で描いてある。バッグは着用者の背後にある。
【図３】第一の実施例の前後切り替バッグの使用時の状態を背後から見た図である。着用者は実線で描いてある。バッグは着用者の前にある。
【図４】第一の実施例の切り替ベルト単体の六面図である。左側面図は右側面図と同一に表れる。
【図５】第二の実施例の前後切り替ベルトの使用時の状態を背後から見た図である。着用者は実線で描いてある。バッグは着用者の背後にある。
【図６】第二の実施例の安定ベルトの正面図である。
【図７】第一の実施例のバッグの側面図である。
【発明を実施するための形態】
【０００９】
両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この切り替えベルトは第一の取付部と第二の取付部の少なくとも一方で切り替えベルトが長手方向に摺動可能であり、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至り、この切り替えバッグは、両側の肩から切り替えベルトを外すことなく前後に切り替えできることを特徴とする前後切り替えバッグ。
【００１０】
両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この切り替えベルトは第一の取付部と第二の取付部の少なくとも一方で切り替えベルトが長手方向に摺動可能であり、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至り、この前後切り替えバッグを前掛けした場合、この第一のベルト及び第二のベルトは前側にある第一の結合部又は第二の結合部から始まり、前側から両肩を分かれて越え、後から脇の下を通り、前側にある他の結合部に至ることを特徴とする前後切り替えバッグ。
【００１１】
両肩にベルトをかける前後切り替えバッグであって、この前後切り替えバッグは、切り替えベルトとバッグとから構成され、この切り替えベルトは、第一のベルトとこの第一のベルトに環状に形成される第二のベルトと、この切り替えベルトをバッグの両端に取り付ける第一の取付部と第二の取付部から構成され、このバッグはこの第一の取付部が取り付けられる第一の結合部と、第二の取付部が取り付けられる第二の結合部を有し、この切り替えベルトは第一の取付部と第二の取付部の少なくとも一方で切り替えベルトが長手方向に摺動可能であり、この前後切り替えバッグを後掛けした場合、この第一のベルト及び第二のベルトは着用者の背後にある第一の結合部又は第二の結合部から始まり、脇の下から前に回り、両肩の上を分かれて越え、背後にある他の結合部に至り、この前後切り替えバッグを前掛けした場合、この第一のベルト及び第二のベルトは前側にある第一の結合部又は第二の結合部から始まり、前側から両肩を分かれて越え、後から脇の下を通り、前側にある他の結合部に至り、このバッグを前後に回転移動させるだけで、両側の肩から切り替えベルトを外すことなく前後に切り替える方法。
【００１２】
上記の何れかの前後切り替えバッグにおいて、この第一の取付部又は第二の取付部近傍から第一のベルト又は第二のベルトの前方部分又は他の取付部近傍に掛け渡す安定ベルトを有する前後切り替えバッグ。
上記の何れかの切り替えバッグに用いる切り替えベルト。
【実施例】
【００１３】
図１、図２、図３、図４により、第一の実施例の前後切り替えバッグを説明する。両肩にかける前後切り替えバッグ１０は、切り替えベルト２０とバッグ３０とから構成されている。切り替えベルト２０は、第一のベルト２１と第一のベルト２１に環状に連続して構成される第二のベルト２２を有している。切り替えベルト２０にはベルト２０をバッグ３０に取り付ける第一の取付部２３と第二の取付部２４を有している。
【００１４】
第一の取付部２３と第二の取付部２４は、環とフックからなり、この環に第一のベルト２１と第二のベルト２２が貫通し、摺動可能である。バッグ３０には両端に、第一の取付部２３が取り付けられる第一の結合部３１と、第二の取付部２４が取り付けられる第二の結合部３２が設けられている。第一の結合部３１と第二の結合部３２には、それぞれ環が設けられ、この環に第一の取付部２３と第二の取付部２４のフックが連結される。(図7）
【００１５】
第一の取付部２３と第二の取付部２４のフックを省略して、第一の取付部２３と第二の取付部２４の環と、第一の結合部３１と第二の結合部３２の環を共通に使用してもよい。
【００１６】
図２のように、バッグ３０が着用者の背後に背負われたとき、第一のベルト2１は第一の結合部３１から始まり着用者の背後から左の脇の下を通って前方へ回り左の肩の上を通って背後の第二の結合部３２まで取り回し、第二のベルト２２は第一の結合部31から始まり着用者の背後から左側の脇の下を通って前方へ回り右側の肩の上を通り背後の第二の結合部３２まで取り回される。
【００１７】
図３に示すように、切り替えベルト２０を肩に掛けたまま、バッグ３０を胴周りに前方に回転・移動すると、第一のベルト２１は前方の第一の結合部３１から始まり、前方から左側の肩の上を通って後方に回り、左の脇を通って前方の第二の結合部３２へと取り回し、第二のベルト２２は前方の第一の結合部３１から始まり、前方から右側の肩の上を通り後方へ回り、左側の脇の下から前方の第二の結合部３２まで取り回す位置に配置される。
【００１８】
このように、前後切り替えバッグ１０は、切り替えベルト２０を両肩に掛けまま、バッグ３０を回転・移動させるだけで、バッグ３０を後掛けから前掛けに、又その逆に容易に切り替えることができる。
バッグ３０を前後に切り替えたとき、第一のベルト２１と第二のベルト２２は長さが異なってくるが、第一の取付部２３と第二の取付部２４のどちらか又は両方でベルトが摺動可能なので、第一のベルト２１と第二のベルト２２は長さが釣り合った位置で均衡がとれるので、その都度長さ調整をする必要ない。
【００１９】
図５に示す第二の実施例の前後切り替えバッグ１０では、バッグ３０を後ろ掛けした状態で、第一の安定ベルト取付部２５Aが第二の取付部２２近傍に取りつけられ、第二の安定ベルト取付部２５Bを前方に回し第二のベルト２２の前部に掛けられている。これにより、バッグ３０をより安定させることができる。（図6）
【００２０】
なお、この前後切り替えバッグ１０の発明は、特に既存の取付部の着いたバッグにも切り替えベルトを取り付けて使用できる利点がある。
この発明において、前後切り替えバッグの掛け方が左右反対になると、第一の取付部は第二の取付部と、第一の結合部は第二の結合部と入れ替えて考える必要がある。
【産業上の利用可能性】
【００２１】
この発明は、両肩にベルトを掛ける前後切り替えバッグに関するが、他の物品を運ぶ運搬具としても利用可能である。
【符号の説明】
【００２２】
１０は前後切り替えバッグ
２０は切り替えベルト
２１は第一のベルト
２２は第二のベルト
２３は第一の取付部
２４は第二の取付部
２５は安定ベルト
２５Aは第一の安定ベルト取付部
２５Bは第二の安定ベルト取付部
３０はバッグ
３１は第一の結合部
３２は第二の結合部
５０は着用者
【図１】
2020130823.tif 000003
【図２】
2020130823.tif 000004
【図３】
2020130823.tif 000005
【図４】
2020130823.tif 000006
【図５】
2020130823.tif 000007
【図６】
2020130823.tif 000008
【図７】
2020130823.tif 000009